(57)【要約】【課題】  本発明の目的は、操作性の良い携帯用工具を提供することにある。【解決手段】  ハンドル部（１２）には、電池受け部（３４）近傍と電池ケース（１８）とで形成されたノブ状形成部（２１）を有し、ハンドル部（１２）を電池受け部（３４）側から手で把持して第一指及び第二指及び第三指をノブ状形成部（２１）とハンドル部（１２）の胴体部（１１）寄り部分とを結ぶ斜面（２２）に添えた時に、第一指及び第二指及び第三指と掌によってノブ状形成部（２１）が挟まれるように形成する。【選択図】  図４
2007276038.tif 000002
【特許請求の範囲】
【請求項１】
先端工具保持部を有する伝達機構部と、
該伝達機構部を回転駆動させるモータと、
該モータを制御するためのスイッチと、
前記伝達機構部及び前記モータ及び前記スイッチを収容する外枠である胴体部と、
該胴体部の反先端工具保持部側の端部に可動接合されたハンドル部と、
該ハンドル部の反胴体部側の端部に設けられた電池受け部と、
該電池受け部に着脱可能に配された電池と、
を備えた電動工具であって、
前記ハンドル部は前記胴体部の反先端工具保持部側の一端から前記胴体部と合わせて、最も角度が小さいときにペン形をなすように、且つ最も角度が大きいときにＬ字形をなすように角度が調整できる電動工具において、
前記ハンドル部は、前記電池受け部近傍が前記電池のケースと合わせてノブ状に形成されることを特徴とする電動工具。
【請求項２】
前記ハンドル部は、前記ノブ状形成部のほぼ全周に軟質層が形成されることを特徴とする請求項１記載の携帯用工具。
【請求項３】
前記ハンドル部は、前記電池受け部側端部と前記軟質層の間に余白が設けられることを特徴とする請求項２記載の携帯用工具。
【発明の詳細な説明】
【技術分野】
【０００１】
本発明は、電動工具の操作性向上に関するものであり、特にペン形とＬ字形に角度を調整できるハンドルを備えた電動工具に関するものである。
【背景技術】
【０００２】
一般に電動ドライバや電動レンチのような締め付け作業を行う電動工具は、反先端工具保持部の回転をロックする機能を有することで、手締めによる微調整が可能となる。特に、ハンドル部が胴体部からペン形をなすように延び、且つハンドル部に電池を収容する電動工具は、ハンドル部を反先端工具保持部側から把持することで、手回し式工具と同様の手締め作業ができる。
【０００３】
【特許文献１】特開平０５−３０１１７４号公報
【発明の開示】
【発明が解決しようとする課題】
【０００４】
従来の電動工具においては、手締め作業の際に手が電動工具を回転させる力は、手とハンドル部との間に作用する摩擦力に大きく依存している。このため、長時間作業を行い指が疲れた時に、手とハンドル部とが滑りやすくなるという問題がある。
【０００５】
また、ハンドル部にエラストマ等の軟質層を配して、摩擦係数を大きくした電動工具もあるが、ハンドル部がほぼ円筒形の場合、ペン形ハンドル形態で手締め作業を行うときに、指の掛りが悪く力を入れにくいという問題がある。
【０００６】
また、ペン形とＬ字形に角度を調整できるハンドルを備え、且つハンドル部にエラストマ等の軟質層を配した電動工具もあるが、Ｌ字形ハンドル形態で下向きに締付け作業を行うときに、ハンドル部を把持した手が上方にずれやすいという問題がある。
【０００７】
また、エラストマ等の軟質層を電池ケースにも配し、ハンドル部の摩擦力を高める方法があるが、原価が高くなるという問題がある。
【０００８】
本発明の目的は、上記の問題を解決し、通常の締付け作業及び手締め作業どちらでも操作性の良い廉価な電動工具を提供することにある。
【課題を解決するための手段】
【０００９】
先端工具保持部を有する伝達機構部と、該伝達機構部を回転駆動させるモータと、該モータを制御するためのスイッチと、前記伝達機構部及び前記モータ及び前記スイッチを収容する外枠である胴体部と、該胴体部の反先端工具保持部側の端部に可動接合されたハンドル部と、該ハンドル部の反胴体部側の端部に設けられた電池受け部と、該電池受け部に着脱可能に配された電池と、を備えた電動工具であって、前記ハンドル部は前記胴体部の反先端工具保持部側の一端から前記胴体部と合わせて、最も角度が小さいときにペン形をなすように延び、且つ最も角度が大きいときにＬ字形をなすように延びる電動工具において、前記ハンドル部の前記電池受け部近傍を前記電池のケースと合わせてノブ状に形成することにより、前記ハンドル部をペン形ハンドル形態に調整して前記電池受け部側から把持し、手締め作業を行う場合に指の掛りが良く、力を入れやすくなり、前記ハンドル部に対してずれなくなる。また、前記ハンドル部をＬ字形ハンドル形態に調整して下向きに把持した場合でも、前記ノブ状形成部の段差がストッパーとなるため、手は上方に対してずれなくなる。よってペン形ハンドル、Ｌ字形ハンドル共に指が疲れ難く、長時間作業を行い指が疲れて力が小さくなっても、手はハンドル部に対してずれない。
【００１０】
このようなノブ状形成部の形には様々なものが考えられるが、例えば、最大外径が約４５ｍｍ、ハンドル部の長手方向に約３０ｍｍ、ハンドル部の胴体部寄り部分との段差が約４ｍｍ且つ斜面となるように形成する。このようにすれば指の掛りが良くなり、斜面に沿えた指と電池ケース部に当てた掌でノブ状形成部を挟めるため、力を入れやすくなる。
【００１１】
また、前記ノブ状形成部のほぼ全周に軟質層を配することにより、ノブ状形成部の摩擦係数が高くなるので、大きな摩擦力を得ることができる。よってペン形ハンドル形態で手締め作業を行う場合に滑り止めの効果が大きくなる。
【００１２】
また、前記電池受け部側端部と前記軟質層の間に約1ｍｍの余白を設けることにより、余白を設けない場合に比べて軟質層端部のバリの発生を抑えることができ、バリ取り工数が不要となり、原価低減につながる。
【発明の効果】
【００１３】
請求項１記載の構成によれば、ペン形ハンドル形態で手締め作業を行う場合、ハンドル部のノブ状形成部を電池受け部側から軽い力で把持するだけで、指はハンドル部に対してずれなくなる。また、Ｌ字形ハンドル形態で下向きに締付け作業を行う場合にも、手はハンドル部の上方にずれなくなる。よってペン形ハンドル、Ｌ字形ハンドル共に指が疲れ難く、長時間作業を行い指が疲れてハンドル部を握る力が小さくなっても、手はハンドル部に対してずれない。従って操作性の良い電動工具を提供することができる。
【００１４】
請求項２記載の構成によれば、ノブ状形成部の摩擦係数が高くなるので、大きな摩擦力を得ることができ、ペン形ハンドル形態で手締め作業を行う場合に滑り止めの効果が大きくなる。また、ハンドル部の電池受け部端面近傍まで軟質層を配することにより、電池ケースの表面に軟質層を配さなくてもハンドル部の滑り止め効果を高めることができる。従って操作性の良い廉価な電動工具を提供することができる。
【００１５】
請求項３記載の構成によれば、軟質層端部のバリの発生を抑えることができ、バリ取り工数が不要となり、原価低減につながる。従って廉価な電動工具を提供することができる。
【発明を実施するための最良の形態】
【００１６】
本発明の実施の形態にかかるコードレスドライバ１について、図１乃至図９を参照しながら説明する。
【００１７】
コードレスドライバ１の内部構造について、図１、図４及び図５を参照しながら説明する。
【００１８】
コードレスドライバ１は、先端工具保持部であるソケット９を有するギア部８と、ギア部８を回転駆動させるモータ６と、モータ６を制御するためのスイッチ１３と、ギア部８及びモータ６及びギア部８及びスイッチ１３とを収容する外枠であるハウジング２と、ギア部８を介して伝達されたモータ６のトルクを調節するクラッチ７と、クラッチ７を収容し且つトルクを多段階で調節できるクラッチダイヤル５と、電池ケース１８を少なくとも部分的に収容し胴体部１１に対して平行または角度をもって延びるハンドル３とを備える。ハウジング２は、モータ６とギア部８とスイッチ１５を収容する胴体部１１を成す。ハンドル３は、電池ケース１８を少なくとも部分的に収容するハンドル部１２を成す。
【００１９】
ハンドル部１２は胴体部１１との接合部に配されたフランジねじ２７の枢軸２６に対して回動することにより、胴体部１１と合わせてペン形またはＬ字形をなすように設けられる。このような形態のハンドルはそれぞれペン形ハンドル、Ｌ字形ハンドルと呼ばれる。ハンドル部１２は、胴体部１１側に配されたクリックプレート２９の穴にハンドル部１２側に配されたスチールボール２８が嵌め込まれることで固定される。ハンドル部１２の回動方向に一定以上の力が加えられると、クリックプレート２９の穴からスチールボール２８がずれて、ハンドル部１２が回動する。ハンドル部１２が一定の角度回転すると、クリックプレート２９の別の穴にスチールボール２８が嵌め込まれ、ハンドル部１２は固定される。
【００２０】
モータ６はソケット９と平行に設けられ、モータ６のトルクは伝達機構部であるギア部８と、クラッチ７とを経てソケット９に伝達される。正面から見てスイッチ１３の上部を押すとモータ６に電池１９の電力が供給され、ソケット９がモータ６側から見て右回転を始める。また、正面から見てスイッチ１３の下部を押すとモータ６に電力が供給され、ソケット９がモータ６側から見て左回転を始める。スイッチ１３には、スイッチ１３を押した状態で保持しておくためのオンロックノブ１４が設けられており、スイッチ１３を押してからオンロックノブ１４をスイッチ１３の方向にスライドさせると、スイッチ１３がオンの状態でロックされる。オンロックノブ１４は連続してねじを締める作業などで、スイッチ１３の操作を省略するために使用される。
【００２１】
ギア部８には回転速度を調節する変速スイッチ１５が設けられており、変速スイッチ１５を前後にスライドさせることにより、ギア部８の回転速度を２段階で調節できる。
【００２２】
コードレスドライバ１の外枠について、図１乃至図３、また図５乃至図７を参照しながら説明する。
【００２３】
ハウジング２は左右に分割されたハウジング２ａとハウジング２ｂとからなり、互いに複数の図示せぬねじで組み合わされている。前述のように、ハウジング２は、モータ６とギア部８とスイッチ１３を収容する胴体部１１を成す。また、ハンドル３は左右に分割されたハンドル３ａとハンドル３ｂとからなり、互いに複数の図示せぬねじで組み合わされている。前述のように、ハンドル３は、電池ケース１８を収容するハンドル部１２を成し、ハンドル部１２は胴体部１１の反ソケット９側の一端から延び、胴体部１１とペン形またはＬ字形をなすように設けられる。そして、スイッチ１５は胴体部１１内に設けられ、図８に示すようにＬ字形ハンドル形態で把持した時に第一指（親指）がスイッチ１３を押せるように、ハンドル部１２との接合部近傍に配される。また、図９に示すように、より精密な締付け作業を行うために胴体部を把持した時に、第一指（親指）がスイッチ１３を押せるように配される。
【００２４】
ノブ状形成部２１による操作性の向上について説明する。
【００２５】
ハンドル部１２には、電池受け部側から胴体部１１の方向に延び、少なくとも最大外径が約４５ｍｍ、ハンドル部の長手方向に約３０ｍｍ、ハンドル部１２の胴体部１１寄り部分との段差Ｌが約４ｍｍとなるノブ状形成部２１が設けられている。
【００２６】
ノブ状形成部２１の最大外径部は略円筒形のハンドル部１２の胴体部１１寄り部分との段差Ｌが約４ｍｍあり、約２５°の斜面で結ばれている。図１０に示すように、従来の電動工具３２のハンドル３３を電池受け側から第一指及び第二指及び第三指で把持すると、指先に掛かる力はハンドル３３の中心線方向に向き、一方電池ケースに当接する掌に掛かる力はハンドル３３の中心線と平行に、且つ図１０の下方に向く。この状態では、第一指及び第二指及び第三指に強く力を入れて把持していないと第一指及び第二指及び第三指が滑ってハンドル３３から外れやすい。本発明のようにノブ状形成部２１の最大外径部とハンドル部１２の胴体部１１寄り部分とに約４ｍｍの段差があり、約２５°の斜面２２で結ばれていれば、第一指及び第二指及び第三指の指先が斜面２２に当接し、第一指及び第二指及び第三指にハンドル部１１の中心線と平行な向きに力を掛けやすくなる。さらに電池ケース１８に当接している掌とでノブ状形成部２１を挟むように強く当接する。この状態では、第一指及び第二指及び第三指は斜面に吸い付くように引っ掛かり、第一指及び第二指及び第三指にあまり力を入れなくても滑ることがない。ただし段差Ｌが４ｍｍよりも小さくなると、第一指及び第二指及び第三指が斜面２２に引っ掛かりにくくなる。
【００２７】
また、Ｌ字形ハンドル形態で下向きに締付け作業を行う場合にも、斜面２２がストッパーとなるため、手は前記ハンドル部の上方にずれなくなる。よって指が疲れにくいし、長時間作業を行い指が疲れて力が小さくなっても、指はハンドル部に対してずれない。
【００２８】
軟質層２４による操作性の向上について説明する。
【００２９】
ハンドル３は、ナイロン樹脂等からなる硬質層２５と、硬質層２５の表面に設けられる軟質のエラストマ−等からなる軟質層２４とを有する。軟質層２４は硬質層２０の表面から凸となるように設けられ、ハンドル３全体のおよそ５０％以上の範囲を覆うように形成される。軟質層２４は滑り止めとして、主に作業時にハンドル部１２を把持する部分に設けられている。ノブ状形成部２１の表面にも軟質層２４が形成されており、ハンドル部１２を電池受け側から把持した時に、ノブ状形成部２１の斜面２２にあてがった第一指及び第二指及び第三指が滑り難くなっている。また図１乃至図４に示すように、ハンドル部１２の電池受け部側端部と軟質層２４の間に、幅約１ｍｍの余白が設けられている。これにより、成型時に軟質層２４の端部にバリが発生しにくくなる。よってバリ取り工数が不要となり、原価低減を図ることができる。よって廉価な製品を供給できる。
【００３０】
コードレスドライバ１の動作について図６乃至図９を参照しながら説明する。
【００３１】
スイッチ１３を押した状態にしておく。オンロックボタン１４を押してスイッチ１３をオンの状態でロックしておくと、第一指をスイッチ１３から離すことができ、様々な把持の仕方をすることができる。図６に示すように第一指及び第二指及び第三指でノブ状形成部２１を把持すると、第一指及び第二指及び第三指が斜面２２に引っ掛かり、さらにノブ状形成部２１を掌との間で挟むことになり、あたかも斜面２２が指に吸い付くような感触を得ることができる。また軟質層２４との摩擦力によっても指が滑りにくくなっている。これにより把持する力は小さくて済む。
【００３２】
図８に示すように、コードレスドライバ１をＬ字形ハンドル形態で鉛直方向から建材３０にねじ３１を締付ける作業を行う際、ハンドル部１２が胴体部１１に対して傾斜しているため、手は図８の上方に滑りやすい。しかし本実施の形態によれば、前述のように斜面２２がストッパーになっているので手が滑りにくい。さらに前述のように、ハンドル部１２とノブ状形成部２１との段差Ｌが少なくとも一部で４ｍｍ以上となるように形成されているので、手の上方への滑りは斜面２２によって確実に阻止される。さらに前述のように、ノブ状形成部２１の表面全体に亘って軟質層２４が形成されているので、手が痛くならない。また大きな摩擦力を得ることができ、滑り止めの効果も一層大きく得られる。
【００３３】
本発明はコードレスドライバ１に限らず、ペン形ハンドル及びＬ字形ハンドルを備えた様々な電動工具に適用することができる。
【図面の簡単な説明】
【００３４】
【図１】本発明の実施の形態のかかるコードレスドライバのペン形ハンドル形態の正面図
【図２】本発明の実施の形態のかかるコードレスドライバのペン形ハンドル形態の平面図
【図３】本発明の実施の形態のかかるコードレスドライバのＬ字形ハンドル形態の正面図
【図４】本発明の実施の形態のかかるコードレスドライバの全体構造断面図
【図５】図４のＡ−Ａ線における断面図
【図６】本発明の実施の形態のかかるコードレスドライバのノブ状形成部を把持した状態を示すペン形ハンドル形態の平面図
【図７】図６のＢ−Ｂ線における断面図
【図８】本発明の実施の形態のかかるコードレスドライバのハンドル部を把持した状態を示すＬ字形ハンドル形態の正面図
【図９】本発明の実施の形態のかかるコードレスドライバの胴体部を把持した状態を示すペン形ハンドル形態の正面図
【図１０】従来の電動工具のハンドル部を反先端工具保持部側から把持した状態を示す参考図
【符号の説明】
【００３５】
１はコードレスドライバ、２、２ａ、２ｂはハウジング、３、３ａ、３ｂはハンドル、４はカバ、５はクラッチダイヤル、６はモータ、７はクラッチ、８はギア部、９はソケット、
１０はドライバビット、１１は胴体部、１２はハンドル部、１３はスイッチ、１４はオンロックノブ、１５は変速スイッチ、１６はLEDライト、１７はライトスイッチ、１８は電池ケース、１９は電池、２０は接点、２１はノブ状形成部、２２は斜面、２３は余白、２４は軟質層、２５は硬質層、２６は枢軸、２７はフランジねじ、２８はスチールボール、２９はクリックプレート、３０は相手材、３１はねじ、３２は電動工具、３３はハンドル、３４は電池受け部
【図１】
2007276038.tif 000003
【図２】
2007276038.tif 000004
【図３】
2007276038.tif 000005
【図４】
2007276038.tif 000006
【図５】
2007276038.tif 000007
【図６】
2007276038.tif 000008
【図７】
2007276038.tif 000009
【図８】
2007276038.tif 000010
【図９】
2007276038.tif 000011
【図１０】
2007276038.tif 000012